(57)【要約】【課題】放熱性を確保し、ＬＥＤ光源からの光を効率よく制御することができる照明器具を提供する。【解決手段】ＬＥＤ光源２０の側前方を囲む筒状のレンズ４０を設けたので、ＬＥＤ光源２０の前方が塞がれなくなり、放熱性が向上する。また、レンズ４０に入射した光ＬＢ２は、レンズ４０において、光軸Ｌに対してなす角度が大きくなるように光制御され、さらに反射板３０に入射するので、効率よく光制御される。また、レンズ４０の前方に前面パネル５０を設けたので、筒状のレンズ４０に触れずに中心部を抜けてきた光が，前面パネル５０により制御されるので、ＬＥＤ光源２０からの光を効率よく制御することができる。【選択図】  図１
2013232373.tif 000002
【特許請求の範囲】
【請求項１】
ＬＥＤ光源と、
前記ＬＥＤ光源からの光を制御する反射板と、を有し、
前記ＬＥＤ光源の側前方を囲み、入射した光の光軸に対する角度が大きくなるように制御する筒状のレンズを設けるとともに、
前記レンズの前方に前面パネルを設けた照明器具。
【請求項２】
請求項１に記載の照明器具において、
前記前面パネルが、光制御部を中央部に有する照明器具。
【請求項３】
請求項１または請求項２に記載の照明器具において、
前記前面パネルの中央部は、少なくとも前記ＬＥＤ光源からの直接光が照射される領域である照明器具。
【発明の詳細な説明】
【技術分野】
【０００１】
本発明は、ＬＥＤ光源からの光を反射板で制御する照明器具に関するものである。
【背景技術】
【０００２】
従来より、ＬＥＤ光源からの光を反射板で制御する照明器具が知られている（例えば、特許文献１参照）。
図５に示すように、特許文献1に記載の照明器具１００は、ＬＥＤモジュール等からなる複数例えば一対の発光装置１０１と、ヒートシンク１０２と、反射鏡１０３と、鏡支持部材１０４を具備している。ヒートシンク１０２には、多数枚の放熱フィン１０５が設けられている。
従って、発光装置１０１から発せられた熱は、ヒートシンク１０２の放熱フィン１０５により放出される。
【０００３】
また、各発光装置１０１は、照明器具１００の光軸Ｌと平行に設けられた基板（図示省略）を有しており、基板には複数個のＬＥＤチップ（図示省略）が実装されていて、透光性の封止部材（図示省略）により覆われている。
従って、ＬＥＤチップから発せられた光は、光軸Ｌと直交する方向に照射され、反射鏡１０３に当たって、光軸Ｌ方向に反射される。
これにより、反射鏡１０３で制御される光量を増大させて、光を有効に制御している。
【先行技術文献】
【特許文献】
【０００４】
【特許文献１】特開２０１１−１１３８１４号公報（第３図）
【発明の概要】
【発明が解決しようとする課題】
【０００５】
ところで、ＬＥＤ光源の光を効率よく制御するために、ＬＥＤ光源の前方にレンズを設けることが行われている。
しかしながら、ＬＥＤ光源の前方をレンズで塞ぐことになるため、放熱性が悪くなるという問題があった。
【０００６】
本発明は、従来の問題を解決するためになされたもので、放熱性を確保し、ＬＥＤ光源からの光を効率よく制御することができる照明器具を提供することを目的とする。
【課題を解決するための手段】
【０００７】
本発明の照明器具は、ＬＥＤ光源と、前記ＬＥＤ光源からの光を制御する反射板と、を有し、前記ＬＥＤ光源の側前方を囲み、入射した光の光軸に対する角度が大きくなるように制御する筒状のレンズを設けるとともに、前記レンズの前方に前面パネルを設けたものである。
【０００８】
また、本発明の照明器具は、前記前面パネルが、光制御部を中央部に有するものである。
【０００９】
さらに、本発明の照明器具は、前記前面パネルの中央部は、少なくとも前記ＬＥＤ光源からの直接光が照射される領域であるものである。
【発明の効果】
【００１０】
本発明は、ＬＥＤ光源の側前方を囲む筒状のレンズを設けたので、ＬＥＤ光源の前方が塞がれなくなり、放熱性が向上する。また、レンズに入射した光は、レンズにおいて、光軸に対してなす角度が大きくなるように光制御され、さらに反射板に入射するので、効率よく光制御される。また、レンズの前方に前面パネルを設けたので、筒状のレンズに触れずに中心部を抜けてきた光が，前面パネルにより制御され、ＬＥＤ光源からの光を効率よく制御することができるという効果を有する照明器具を提供できる。
【図面の簡単な説明】
【００１１】
【図１】本発明に係る実施形態の照明器具の要部断面図
【図２】（Ａ）ないし（Ｄ）は本発明に係る照明器具に対する比較例を示す概略断面図
【図３】（Ａ）ないし（Ｃ）はレンズの変形例を示す断面図
【図４】（Ａ）ないし（Ｄ）は前面パネルの変形例を示す断面図
【図５】従来の照明器具の断面図
【発明を実施するための形態】
【００１２】
以下、本発明に係る実施形態の照明器具について、図面を用いて説明する。
図１に示すように、本発明に係る実施形態の照明器具１０は、例えば、天井等の被取付部に取り付けて，下方を照明するダウンライト等に用いることができる。
照明器具１０は、ＬＥＤ光源２０と、ＬＥＤ光源２０からの光を制御する反射板３０とを有する。さらに、ＬＥＤ光源２０の側前方を囲み、入射した光の光軸に対する角度が大きくなるように制御する筒状のレンズ４０と、レンズ４０の前方に設けられた前面パネル５０とを有する。
【００１３】
ＬＥＤ光源２０は、基板２１の実装面に、ＬＥＤチップ２２を実装して構成される。
反射板３０は、例えば放物面等の曲面からなる反射面３１を有する。
反射板３０は，例えば、絞り加工したアルミで形成されており、アルマイト処理を施して反射面３１を形成することができるがこれに限るものではない。
そのほか、樹脂やガラスで反射板３０を成形し、アルミ膜などを成膜して反射面３１を形成することもできる。
【００１４】
レンズ４０は、ＬＥＤチップ２２の前方である中央部分が空洞４１となっており、内面４２は内径が一様な円柱状になっている。
また、外面４３は、外側に膨らんだ凸形状となっており、ＬＥＤ光源２０に近い側が連続的に肉厚となっている。これにより、入射した光の光軸に対する角度が大きくなるように制御する。
レンズ４０は、アクリルやポリカーボネート等の樹脂や、ガラスを成形して作製することができる。
【００１５】
前面パネル５０は透光性部材で構成されており、反射板３０の前端３２に設けられている。前面パネル５０は、全体平板状（外周部５１）で、中央部には光制御部５２が設けられている。
光制御部５２は、少なくともＬＥＤ光源２０からの直接光が照射される領域に設けられており、照射方向に膨らむ凸レンズとなっている。
前面パネル５０は、アクリルやポリカーボネート等の樹脂や、ガラスを成形して作製することができる。
【００１６】
従って、ＬＥＤチップ２２から発せられた光の一部（ＬＢ１）は、レンズ４０の空洞４１を通過して、前面パネル５０に入射する。
前面パネル５０において、ＬＥＤ光源２０からの直接光が照射される領域には、光制御部５２が設けられているので、光ＬＢ１は光制御部５２に入射して、光制御される。
一方、ＬＥＤチップ２２から発せられた光の一部（ＬＢ２）は、レンズ４０の空洞４１を通過して、レンズ４０に入射する。
レンズ４０に入射した光ＬＢ２は、レンズ４０において、光軸Ｌに対してなす角度が大きくなるように光制御され、さらに反射板３０に入射して光制御される。
【００１７】
図２（Ａ）ないし（Ｄ）には、種々の比較例が示されている。
図２（Ａ）に示す照明器具１１では、ＬＥＤ光源２０の前方に、レンズ４０および前面パネル５０を設けていない。
このため、一部の光ＬＢ３は反射板３０によって光制御されるが、一部の光ＬＢ４は光制御されない。
【００１８】
また、図２（Ｂ）に示す照明器具１２では、ＬＥＤ光源２０の前方に、レンズ４０は設けず、前面パネル５０のみを設けた。
このため、一部の光ＬＢ５は反射板３０によって光制御されて前面パネル５０の外周部５１を透過する。また、一部の光ＬＢ６は前面パネル５０の光制御部５２によって光制御される。しかし、一部の光ＬＢ７は光制御されない。
【００１９】
また、図２（Ｃ）に示す照明器具１３では、ＬＥＤ光源２０の前方にレンズ４０は設けず、反射板３０の全体を覆う大きさの光制御部を有する前面パネル５７を設けた。
このため、ＬＥＤ光源２０から発せられた光ＬＢ８は前面パネル５７によって有効に光制御される。しかし、直射光を有効に制御する前面パネル５７では、光ＬＢ９のような反射板３０による反射光は、有効に光制御することはできない。
【００２０】
また、図２（Ｄ）に示す照明器具１４では、ＬＥＤ光源２０の前方に設けたレンズ４０（図１参照）の空洞４１を、平板状のパネル４７で覆った。なお、前面パネルは設けていない。
この場合、ＬＥＤ光源２０から発せられてレンズ４０に入射する光ＬＢ２は、図１において説明したように、レンズ４０において、光軸Ｌに対してなす角度が大きくなるように光制御され、さらに反射板３０に入射して光制御される。
一方、レンズ４０の空洞４１を通過する光ＬＢ１０は、平板状のパネル４７に入射するので、有効に光制御されない。
【００２１】
以上、説明した本発明に係る実施形態の照明器具１０によれば、ＬＥＤ光源２０の側前方を囲む筒状のレンズ４０を設けたので、ＬＥＤ光源２０の前方が塞がれなくなり、放熱性が向上する。
また、レンズ４０に入射した光ＬＢ２は、レンズ４０において、光軸Ｌに対してなす角度が大きくなるように光制御され、さらに反射板３０に入射するので、効率よく光制御される。
また、レンズ４０の前方に前面パネル５０を設けたので、筒状のレンズ４０に触れずに空洞４１を抜けてきた光ＬＢ１は，前面パネル５０により制御され、ＬＥＤ光源２０からの光を効率よく制御することができる。
【００２２】
前面パネル５０は、中央部に光制御部５２を有するので、筒状のレンズ４０に触れずに空洞４１を抜けてきた光は光制御部５２に入射する。
このため、ＬＥＤ光源２０からの光を効率よく制御することができる。
【００２３】
前面パネル５０の中央部（光制御部５２）は、少なくともＬＥＤ光源２０からの直接光が照射される領域であるので、筒状のレンズ４０に触れずに空洞４１を抜けてきた光は、中央部の光制御部５２に入射して制御される。
【００２４】
なお、本発明の照明器具は、前述した実施形態に限定されるものでなく、適宜な変形，改良等が可能である。
以下に、レンズ４０および前面パネル５０の変形例を示す。
【００２５】
レンズ４０としては、種々の変形例が考えられる。
図３（Ａ）に示すレンズ４４では、空洞４１の内面４２が照射方向に向かって外側に湾曲しており、空洞４１の内径が照射方向に向かって拡径している。また、外面４３は、外側に膨らんだ凸形状となっており、ＬＥＤ光源２０に近い側が連続的に肉厚となっている。
また、図３（Ｂ）に示すレンズ４５では、空洞４１の内面４２は内径が一様な円柱状になっている。また、外面４３は、外側に凸のフレネルレンズとなっている。
また、図３（Ｃ）に示すレンズ４６では、空洞４１の内面４２および外面４３が、外側に凸のフレネルレンズとなっている。
【００２６】
前面パネル５０としては、種々の変形例が考えられる。
図４（Ａ）に示す前面パネル５３では、中央部に設けられている光制御部５２が、凹レンズで構成されている。
また、図４（Ｂ）に示す前面パネル５４では、中央部に設けられている光制御部５２が、凸のフレネルレンズで構成されている。
また、図４（Ｃ）に示す前面パネル５５では、中央部に設けられている光制御部５２が、凹のフレネルレンズで構成されている。
また、図４（Ｄ）に示す前面パネル５６では、中央部に設けられている光制御部５２が、細かな凹凸で構成されている。
【符号の説明】
【００２７】
１０  照明器具
２０  ＬＥＤ光源
３０  反射板
４０  レンズ
５０  前面パネル
５２  光制御部
【図１】
2013232373.tif 000003
【図２】
2013232373.tif 000004
【図３】
2013232373.tif 000005
【図４】
2013232373.tif 000006
【図５】
2013232373.tif 000007